(57)【特許請求の範囲】
【請求項１】
入力した送信すべき電気信号に対して送信側処理を順次に実行する送信部を構成する複数段の機能部と、ネットワークを介して受信した電気信号に対して受信側処理を順次に実行する受信部を構成する複数段の機能部とのうちの少なくとも１つの機能部で発生するノイズを、各機能部の動作を停止させることなく、リアルタイムで監視するノイズ監視方法であって、
任意の機能部より前段の機能部で前記電気信号を比較用信号として複製し、
複製した前記比較用信号を蓄積手段に蓄積し、
任意の前記機能部から出力される前記電気信号を複製して複製信号を出力し、
蓄積されている前記比較用信号と出力される前記複製信号とを比較することを特徴とするノイズ監視方法。
【請求項２】
入力した送信すべきデジタル情報に対して送信側処理を順次に実行する送信部を構成する複数段の機能部と、ネットワークを介して受信したデジタル情報に対して受信側処理を順次に実行する受信部を構成する複数段の機能部とのうちの少なくとも１つの機能部で発生するノイズを、各機能部の動作を停止させることなく、リアルタイムで監視するノイズ監視方法であって、
任意の機能部より前段の機能部で前記デジタル情報を比較用情報として複製し、
複製した前記比較用情報を蓄積手段に蓄積し、
任意の前記機能部から出力される前記デジタル情報を複製して複製情報を出力し、
蓄積されている前記比較用情報と出力される前記複製情報とを比較することを特徴とするノイズ監視方法。
【請求項３】
任意の機能部より前段の機能部での前記電気信号又は前記デジタル情報の複製は、入力段の前記機能部で前記電気信号又は前記デジタル情報を蓄積するか否かを判定し、該判定結果に基づいて行うことを特徴とする請求項１又は２記載のノイズ監視方法。
【請求項４】
前記比較は、蓄積されている前記比較用信号の信号成分又は前記比較用情報のビットと任意の前記機能部から出力される対応信号成分又は対応ビットとの比較であることを特徴とする請求項１又は２記載のノイズ監視方法。
【請求項５】
入力した送信すべき電気信号に対して送信側処理を順次に実行する送信部を構成する複数段の機能部と、ネットワークを介して受信した電気信号に対して受信側処理を順次に実行する受信部を構成する複数段の機能部とのうちの少なくとも１つの機能部で発生するノイズを、各機能部の動作を停止させることなく、リアルタイムで監視するノイズ監視システムであって、
任意の機能部より前段の機能部で前記電気信号を比較用信号として複製する複製手段と、
該複製手段で複製した前記比較用信号を蓄積する蓄積手段と、
任意の前記機能部から前記電気信号を複製して複製信号を出力する出力手段と、
前記蓄積手段に蓄積されている前記比較用信号と前記出力手段から出力される前記複製信号とを比較する比較手段とを備えてなることを特徴とするノイズ監視システム。
【請求項６】
入力した送信すべきデジタル情報に対して送信側処理を順次に実行する送信部を構成する複数段の機能部と、ネットワークを介して受信したデジタル情報に対して受信側処理を順次に実行する受信部を構成する複数段の機能部とのうちの少なくとも１つの機能部で発生するノイズを、各機能部の機能部の動作を停止させることなく、リアルタイムで監視するノイズ監視システムであって、
任意の機能部より前段の機能部で前記デジタル情報を比較用情報として複製する複製手段と、
該複製手段で複製した前記比較用情報を蓄積する蓄積手段と、
任意の前記機能部から前記デジタル情報を複製して複製情報を出力する出力手段と、
前記蓄積手段に蓄積されている前記比較用情報と前記出力手段から出力される前記複製情報とを比較する比較手段とを備えてなることを特徴とするノイズ監視システム。
【請求項７】
前記複製手段は、入力段の前記機能部に設けられ前記電気信号又は前記デジタル情報を蓄積するか否かを判定する判定手段を有し、前記複製は前記判定手段の判定結果に基づいて行うことを特徴とする請求項５又は６記載のノイズ監視システム。
【請求項８】
前記比較手段は、前記蓄積手段に蓄積されている前記比較用信号の信号成分又は前記比較用情報のビットと前記出力手段から出力される対応信号成分又は対応ビットとを比較することを特徴とする請求項５又は６記載のノイズ監視システム。
【請求項９】
コンピュータに請求項１乃至請求項４の何れか一に記載のノイズ監視方法を実行させることを特徴とする制御プログラム。
【請求項１０】
コンピュータを、請求項５乃至請求項８の何れか一に記載のノイズ監視システムとして機能させることを特徴とする制御プログラム。
【発明の詳細な説明】
【技術分野】
【０００１】
この発明は、ノイズ監視方法及びそのシステム並びにその制御プログラムに関し、詳しくはノイズ発生箇所の特定等に有用なノイズ監視方法及びそのシステム並びにその制御プログラムに関する。
【背景技術】
【０００２】
従来のＶｏＩＰシステム、例えば、ＩＰ電話端末装置においてノイズが発生した場合、そのノイズの発生に対する対応処置は、専ら、ノイズが発生した旨の加入者からの申告に依存しているのが現状である。
【０００３】
なお、特許文献１には、接続品質又は通話品質などのサービス品質を測定する機能を備えたＩＰ電話端末装置が開示されている。このＩＰ電話端末装置は、通話に用いるパケットの状態を監視することによる、パケットの到着遅延若しくは遅延のばらつき、パケットの欠落、或るいはパケット内情報の誤り率を含む通話品質（伝送品質）を加入者毎で、かつ、接続動作単位に測定し得ることを示すものである。ここでの伝送品質の測定手段は、相手ＩＰ電話端末装置から到着するパケットをコピーしてそのパケットに基づいて測定情報を得る構成である。
【０００４】
また、特許文献２には、診断対象装置のアプリケーションの動作状態に拘わりなく、診断対象装置の状態を診断し得る装置診断システムが開示されている。その手段は、診断対象装置にネットワークインタフェースドライバを設け、そのネットワークインタフェースドライバがネットワークを通して送受信されるパケットの複製を生成し、複製パケットを監視サーバに送信する構成である。
【０００５】
また、特許文献３には、パケット網を経て流れるパケットの通信品質を監視する通信品質監視システムが開示されている。その手段は、パケット網を経て流れるパケットの通過履歴を取得してその通過履歴に基づいてパケットの通信品質を監視する構成である。この手段においてパケットの通信履歴の取得においてパケットの複製を用いている。
【０００６】
また，特許文献４には、ネットワーク性能を測定するシステムが開示されている。その手段は、受信したデータパケットからクローンパケットを生成して生成されたクローンパケットに基づいてネットワークで生ずる遅延を算定し、ネットワークの性能を測定しようとする構成である。
【特許文献１】特開２００５−１２３６８８号公報
【特許文献２】特開２００７−０８１９３８号公報
【特許文献３】特開２００７−０２８３０５号公報
【特許文献４】特開２００７−１７４６６８号公報
【発明の開示】
【発明が解決しようとする課題】
【０００７】
上述のように、ＩＰ電話端末装置においてノイズが発生した場合の対応処置は、ノイズが発生した旨の加入者からの申告に依存しているため、ノイズ発生源の特定のためのデータが不足しノイズ発生源の特定が不能又は時間が掛かったり、或るいは、リアルタイムで監視、通知、データ収集を行う手段がなく、ノイズ発生の特定や不具合の発見に時間が掛かり過ぎるという技術的課題がある。
【０００８】
特許文献１に開示される技術は、自己のＩＰ電話端末装置での伝送品質の測定に相手のＩＰ電話端末装置からのパケットのコピーをして伝送品質情報を得ることを示しているが、パケットのコピーは、専ら、伝送品質の測定にあって、そのためコピーされるパケットは相手から受信されるもので、自己のＩＰ電話端末装置の中での動作に係る技術的事項、例えば、ノイズの発生については何ら触れられておらず、なお、解決されるべき技術的課題として残っている。
【０００９】
また、特許文献２に開示される技術は、診断対象装置に設けられたネットワークインタフェースドライバにおいて、ネットワークを通して送受信されるパケットの複製を生成し、その複製パケットを監視サーバに送信するもので、複製パケットの生成、そして送信は、診断対象装置のアプリケーションの動作状態に依存することなくネットワークを通して送受信されるパケットを監視装置へ送信することにあり、送信される複製パケットが診断対象装置内部の構成要素とどのように係るかということについては何ら示されるところはなく、それについては、特許文献１と同様、未解決の技術的課題である。
【００１０】
また、特許文献３に開示される技術は、パケット網を経て流れるパケットの通過履歴の取得に用いる手段においてパケットの複製を用いるが、その複製パケットには、既に、受信したパケットの中に通信履歴が含まれている。
したがって、この技術にも、特許文献１及び特許文献２と同様、なお、解決されるべき技術的課題がある。
【００１１】
また、特許文献４に開示される技術は、ネットワーク性能の測定において受信されるデータパケットからクローンパケットを生成するが、このクローンパケットは、ネットワークで生ずる遅延、遅延変動、パケットロス等を測定するのに用いられることを示しているだけで、ネットワーク内で生ずるその他の技術的問題について触れるところがなく、そのような技術的問題については、特許文献１乃至特許文献３と同様、なお、解決されるべき技術的課題として残されたままである。
【００１２】
この発明は、上述の事情に鑑みてなされたもので、信号に対して異なる処理を順次に行う複数の機能部のうちの少なくとも１つの機能部で生ずるノイズの発生源の特定等を行い得るノイズ監視方法及びそのシステム並びにその制御プログラムを提供することを目的としている。
【課題を解決するための手段】
【００１３】
上記課題を解決するために、この発明の第１の構成は、入力した送信すべき電気信号に対して送信側処理を順次に実行する送信部を構成する複数段の機能部と、ネットワークを介して受信した電気信号に対して受信側処理を順次に実行する受信部を構成する複数段の機能部とのうちの少なくとも１つの機能部で発生するノイズを、各機能部の動作を停止させることなく、リアルタイムで監視するノイズ監視方法に係り、任意の機能部より前段の機能部で上記電気信号を比較用信号として複製し、複製した上記比較用信号を蓄積手段に蓄積し、任意の上記機能部から出力される上記電気信号を複製して複製信号を出力し、蓄積されている上記比較用信号と出力される上記複製信号とを比較することを特徴としている。
【００１４】
この発明の第２の構成は、入力した送信すべき電気信号に対して送信側処理を順次に実行する送信部を構成する複数段の機能部と、ネットワークを介して受信した電気信号に対して受信側処理を順次に実行する受信部を構成する複数段の機能部とのうちの少なくとも１つの機能部で発生するノイズを、各機能部の動作を停止させることなく、リアルタイムで監視するノイズ監視システムに係り、任意の機能部より前段の機能部で上記電気信号を比較用信号として複製する複製手段と、該複製手段で複製した上記比較用信号を蓄積する蓄積手段と、任意の上記機能部から上記電気信号を複製して複製信号を出力する出力手段と、上記蓄積手段に蓄積されている上記比較用信号と上記出力手段から出力される上記複製信号とを比較する比較手段とを備えてなることを特徴としている。
【発明の効果】
【００１５】
この発明によれば、受信される電気信号を蓄積し、蓄積信号と機能部を通過する電気信号との比較によりノイズの発生の有無を判定するようにしているので、ノイズの発生箇所（ノイズを発生させる機能部）を特定することができる。
電気信号の送信又はその受信時に電気信号を比較しているので、リアルタイムでノイズの発生を監視することができる。
電気信号の複製信号を複数ネットワークへ送信することにより、電気信号処理装置とネットワークのいずれでノイズが発生しているか否かを切り分けることができる。
複製信号の送信周期の変更を可能にしているので、ネットワーク及び電気信号処理装置の負荷を軽減することが可能である。
【発明を実施するための最良の形態】
【００１６】
この発明は、受信した電気信号に対して異なる処理を順次に行う複数の機能部のうちの少なくとも１つの機能部で発生するノイズのリアルタイムでの監視に、任意の機能部より前段の機能部で電気信号を複製すること、複製した比較用信号を蓄積手段に蓄積すること、任意の上記機能部から出力される電気信号を複製して複製信号を出力すること、及び蓄積されている比較用信号と出力される複製信号とを比較することを含んで構成される。
【実施形態１】
【００１７】
図１は、この発明の実施形態１であるＩＰ電話端末装置の電気的構成を示す図、図２は、同ＩＰ電話端末装置の入力インタフェース部の処理手順を示す図、図３は、同ＩＰ電話端末装置のエンコード・エコーキャンセラ部の処理手順を示す図、図４は、同ＩＰ電話端末装置の音声パケット化部の処理手順を示す図、図５は、同ＩＰ電話端末装置のパケット複製部の処理手順を示す図、図６は、同ＩＰ電話端末装置のパケット受信部の処理手順を示す図、図７は、同ＩＰ電話端末装置のパケット処理部の処理手順を示す図、図８は、同ＩＰ電話端末装置のジッタバッファ部の処理手順を示す図、図９は、同ＩＰ電話端末装置のデコード部の処理手順を示す図、図１０は、同ＩＰ電話端末装置の出力インタフェース部の処理手順を示す図、また、図１１は、同ＩＰ電話端末装置のデータ比較部の処理手順を示す図である。
【００１８】
この実施形態のＩＰ電話端末装置１は、受信されるＩＰ電話のデジタル音声データ又は音声パケットを複製して蓄積し、蓄積されたデータと処理部から出力されるデータとの比較に基づいて処理部でノイズが発生しているか否を検出し得る装置に係り、図１に示すように、パケット化処理装置２と、データ化処理装置３と、比較装置４とから概略構成されている。
パケット化処理装置２は、入力インタフェース部２１と、エンコード・エコーキャンセラ部２２と、音声パケット化部２３と、パケット複製部２４とを含んで構成される。これらの各部は、図２乃至図５及び図１１に示す処理手順を順次に処理する制御プログラムを図示しない記憶手段に記憶し、そのプログラムを図示しないコンピュータにより読み出してコンピュータで実行することにより、上記各処理手順が順次遂行されて行くようにして構成されている。なお、これらの各部を処理部又は機能部ともいう。
【００１９】
データ化処理装置３は、パケット受信部３１と、パケット処理部３２と、ジッタバッファ部３３と、デコード部３４と、出力インタフェース部３５とを含んで構成される。これらの各部は、図６乃至図１１に示す処理手順を順次に処理する制御プログラムを図示しない記憶手段に記憶し、そのプログラムを図示しないコンピュータにより読み出してコンピュータで実行することにより、上記各処理手順が順次遂行されて行くようにして構成されている。なお、これらの各部を処理部又は機能部ともいう。
比較装置４は、比較データ蓄積部４１と、データ比較部４２と、比較データ蓄積部４３と、結果通知部４４とを含んで構成される。
【００２０】
入力インタフェース部２１は、ＴＤＭネットワーク或るいはＤ／Ａ変換器からデジタル音声データを受信し、受信したデータ（比較用データ）をエンコード・エコーキャンセラ部２２及び比較データ蓄積部４１へ転送する機能を有して構成されている。
エンコード・エコーキャンセラ部２２は、入力インタフェース部２１からのデータに対するエンコード機能、エコーキャンセラ機能、並びに音声パケット化部２３、比較データ蓄積部４１及び比較データ部４２へのデータ（比較用データ）のデータ転送機能を有して構成されている。
【００２１】
音声パケット化部２３は、エンコード・エコーキャンセラ部２２からのデータに対するパケット化機能並びにパケット複製部２４及びデータ比較部４２へのデータ転送機能を有して構成されている。
パケット複製部２４は、音声パケット化部２３からのパケットを複製するか否かを判断してパケットを所定の周期で複製し又は複製せずしてパケットをネットワーク５へ送信し、複製パケットと非複製パケットとの区別のためのフラグをパケットヘッダに設定するパケット複製兼識別情報付与機能及び複製パケットの比較データ部４２への転送機能を有して構成されている。
【００２２】
パケット受信部３１は、ネットワーク５からの音声パケットを受信するパケット受信機能並びに受信して出力される音声パケットを比較データ蓄積部４３及びパケット処理部３２へ転送するパケット転送機能を有して構成されている。
パケット処理部３２は、パケット受信部３１からの音声パケットに対して所定のパケット処理を行う処理機能並びに処理後の音声パケットをデータ比較部４２及びジッタバッファ部３３へ転送するパケット転送機能を有して構成されている。
【００２３】
ジッタバッファ部３３は、パケット処理部３２からの音声パケットに生ずるジッタを吸収してＴＤＭネットワークへの送信周期を確保する処理機能並びに該処理機能による処理後の音声パケットをデータ比較部４２及びデコード部３４へ転送するパケット転送機能を有して構成されている。
デコード部３４は、ジッタバッファ部３３からの音声パケットのデジタル音声データ化処理を行う処理機能並びに該処理後のデジタル音声データをデータ比較部４２及び出力インタフェース部３５へ転送するデータ転送機能を有して構成されている。
出力インタフェース部３５は、デコード部３４からのデジタル音声データのデータ比較部４２への転送機能及びＴＤＭネットワーク或るいＡ／Ｄ変換器へのデジタル音声データの転送機能を有して構成されている。
【００２４】
比較データ蓄積部４１は、入力インタフェース部２１又はデコード・エコーキャンセラ部２２からの比較用のデジタル音声データを蓄積する記憶手段であり、比較データ蓄積部４３は、パケット受信部３１すからの音声パケットを蓄積する記憶手段である。
データ比較部４２は、エンコード・エコーキャンセラ部２２からのデジタル音声データ又は音声パケット化部２３若しくはパケット複製部２４からの音声パケットの比較対象のデータ部分と比較データ蓄積部４１の比較データとを比較する処理機能及びパケット処理部３２若しくはジッタバッファ部３３からの音声パケットの比較対象のデータ部分又はデコード部３４若しくは出力インタフェース部３５からのデジタル音声データと比較データ蓄積部４３の比較データ（音声パケットのデータ部分）とを比較する処理機能を有して構成されている。
【００２５】
結果通知部４４は、比較結果が予め設定されたしきい値（比較条件）を超えるとき、該比較結果を発生せしめた処理部を示す情報、すなわち、ノイズ発生箇所情報及びデジタル音声データをネットワーク５を介して保守端末装置６へ送信する通知手段である。
【００２６】
次に、図１乃至図１１を参照して、この実施形態の動作について説明する。
ＩＰ電話端末装置１において、図示しないＴＤＭネットワーク或るいはＡ／Ｄ変換器からデジタル音声データを入力インタフェース部２１が受信すると（図２のステップＡ１）、入力インタフェース部２１において次のような処理が行われる。
入力インタフェース部２１は、受信データを比較データ蓄積部４１に転送するか否かの判定を行う（図２のステップＡ２）。この判定における判定条件と転送周期とは、保守者によって予め設定される。判定条件は、データに対して設定される所定のしきい値を超えているか否かの判定を行うために設定され、転送周期は、例えば、パケット周期である。
【００２７】
比較データが必要であるとの判定、すなわち、上記判定が肯定であると（図２のステップＡ２のｙｅｓ）、比較データがずれないようにするためのタイムスタンプをデータに付与する（図２のステップＡ３）。
この処理の後、データを複製し（図２のステップＡ４）、データを比較データ蓄積部４１及びエンコード・エコーキャンセラ部２２へ転送する（図２のステップＡ５、ステップＡ６）。比較データ蓄積部４１は、受け取ったデータを蓄積する。
上記判定が否定であると（図２のステップＡ２のｎｏ）、受信データは、エンコード・エコーキャンセラ部２２へ転送される（図２のステップＡ６）。
【００２８】
データを受け取ったエンコード・エコーキャンセラ部２２は、次の処理を行う。
エンコード・エコーキャンセラ部２２は、入力されたデータについてエンコード処理とエコーキャンセル処理とを行った後（図３のステップＢ１）、データを比較データ蓄積部４１又はデータ比較部４２へ転送するか否かの判定を行う（図３のステップＢ２）。この判定における判定条件と転送周期とは、保守者によって予め設定される。判定条件は、データに対して設定される所定のしきい値を超えているか否かの判定を行うために設定され、転送周期は、例えば、パケット周期である。
【００２９】
比較データ蓄積部４１へ転送するとの判定がなされると（図３のステップＢ２のｙｅｓ）、比較データがずれないようにするためのタイムスタンプをデータに付与する（図３のステップＢ３）。
この処理の後、データを複製し（図３のステップＢ４）、データを比較データ蓄積部４１及び音声パケット化部２３へ転送する（図３のステップＢ５、ステップＢ６）。
比較データ部４２へ転送すると判定されると（図３のステップＢ２のｎｏ）、データを複製し（図３のステップＢ７）、データを比較データ部４２及び音声パケット化部２３へ転送する（図３のステップＢ８、ステップＢ９）。
エンコード・エコーキャンセラ部２２からデータを受け取ったデータ比較部４２での処理については後述する。
【００３０】
データを受け取った音声パケット化部２３は、次の処理を行う。すなわち、受け取ったデジタル音声データのパケット化を行い（図４のステップＣ１）、音声パケットの複製を行い（図４のステップＣ２）、その音声パケットをデータ比較部４２及びパケット複製部２４へ転送する（図４のステップＣ３、ステップＣ４）。
音声パケットを受け取ったデータ比較部４２での処理については後述する。
【００３１】
パケットを受け取ったパケット複製部２４は、次の処理を行う。すなわち、予め設定された周期が来ているか否かの判定を行い（図５のステップＤ１）、その周期にあれば（図５のステップＤ１のｙｅｓ）、音声パケットを複製し（図５のステップＤ２）、それらの音声パケットをＩＰネットワーク５へ送信する（図５のステップＤ３）。その際に、送信される音声パケットのパケットヘッダにフラグが設定される。このフラグは、そのパケットが複製パケットとしてサポートされていることを示す。送信されるパケットを複製パケットの処理対象としてサポートするか否かは、保守者によって決められる。
上記周期に至っていなければ（図５のステップＤ１のｎｏ）、直ちに音声パケットのＩＰネットワーク５への送信を行う（図５のステップＤ３）。その送信されるパケットのパケットヘッダには上記フラグは設定されない。
【００３２】
次に、ＩＰ電話端末装置１において、ＩＰネットワーク５から音声パケットを受信する場合について説明する。
ＩＰ電話端末装置１のパケット受信部３１がＩＰネットワーク５から音声パケットを受信すると（図６のステップＥ１）、パケット受信部３１は、次の処理を行う。なお、パケット受信部３１は、複数の複製パケットを受信する。
受信したパケットを複製パケットの処理対象としてサポートされているか否かの判定を行う（図６のステップＥ２）。受信されるパケットが複製パケットの処理対象としてサポートされるべきか否かは、保守者によって決められる。
受信パケットが未サポートであるならば（図６のステップＥ２のｎｏ）、受信パケットをパケット処理部３２へ転送する（図６のステップＥ５）。
【００３３】
ステップＥ２の判定が肯定であるならば（図６のステップＥ２のｙｅｓ）、受信パケットのパケットヘッダに複製パケットであることを示すフラグが設定されているか否かの判定を行う（図６のステップＥ３）。この判定が肯定であるならば（図６のステップＥ３のｙｅｓ）、受信パケットを比較データ蓄積部４３へ転送する（図６のステップＥ４）。上記判定が否定であるならば（図６のステップＥ３のｎｏ）、受信パケットをパケット処理部３２へ転送する（図６のステップＥ５）。
【００３４】
パケット処理部３２以降の各部の処理自体には、この発明はないので、これら各部におけるこの発明に関係する技術的事項を纏めて説明する。
パケット処理部３２、ジッタバッファ部３３、デコード部３４及び出力インタフェース部３５での各処理（図７のステップＦ１、図８のステップＧ１、図９のステップＨ１、図１０のステップＩ１）が完了した後、データを複製し（図７のステップＦ２、図８のステップＧ２、図９のステップＨ２、図１０のステップＩ２）、データ比較部４２への転送（図７のステップＦ３、図８のステップＧ３、図９のステップＨ３、図１０のステップＩ３）と次の処理部、すなわち、パケット処理部３２にあってはジッタバッファ部３３、ジッタバッファ部３３にあってはデコード部３４、デコード部３４にあっては出力インタフェース部３５、そして出力インタフェース部３５にあっては送信相手先（装置外）へのデータの転送又は送信を行う（図７のステップＦ４、図８のステップＧ４、図９のステップＨ４、図１０のステップＩ４）。
データ比較部４２へのデータの転送に際しては、当該データが比較上でずれが生じないようにするためのタイムスタンプを合わせて転送する。
【００３５】
上述のようにして、ＴＤＭネットワーク又はＡ／Ｄ変換器からＩＰ電話端末装置１を経てＩＰネットワーク５へデータが転送されとき、ＩＰ電話端末装置１の入力インタフェース部２１又はエンコード・エコーキャンセラ部２２から比較データ蓄積部４１へ比較データが転送されて該比較データが比較データ蓄積部４１に蓄積される。また、ＩＰ電話端末装置１の送信側の所要処理部からデータ比較部４２へそのデータの複製データが転送される。
【００３６】
データ比較部４２は、送信側の所要処理部から複製データを受信すると（図１１のＪ１）、比較データ蓄積部４１に比較対象データがあるか否かを検索する（図１１のＪ２）。この検索には、上述したタイムスタンプを用いる。
そして、データ比較部４２は、所定の比較処理を検索された比較データ及び複製データの対応するビットについて行う（図１１のＪ３）。所定の比較処理は、検索結果を通知するか、比較周期、比較外パターン、誤り率のしきい値を超えているか、比較する対象が設定条件のタイムスタンプに一致しているか、などの条件について行う。また、有音データと無音データによって比較精度を変更する。
【００３７】
比較条件が合致したとき（図１１のＪ４のｙｅｓ）、処理を終了する（図１１のＪ５）。
比較条件が合致しなかったとき（図１１のＪ４のｎｏ）、ノイズの発生を示す比較結果、例えば、どこから転送されたデータか（ノイズ発生箇所情報）、ノイズの発生を検出せしめた要因情報である検出されたパターン、不一致率、不一致バイト数等を音声データと共にデータ比較部４２から結果通知部４４へ転送する（図１１のＪ６）。結果通知部４４は、その比較結果をネットワーク５を経て保守端末装置６へ通知して（図１１のＪ７）処理を終了する（図１１のＪ８）。
【００３８】
また、ＩＰネットワーク５からＩＰ電話端末装置１を経てＴＤＭネットワーク又はＡ／Ｄ変換器へデータが転送されるとき、ＩＰ電話端末装置１のパケット受信部３１から比較データ蓄積部４３へ比較データが転送されて該比較データが比較データ蓄積部４３に蓄積される一方、ＩＰ電話端末装置１の受信側の所要処理部からデータ比較部４２へそのデータの複製データが転送される。
そして、送信側と同様にして、データ比較部４２において、受信側の各処理部からの複製データの受信（図１１のＪ１）、比較対象データの検索（図１１のＪ２）、所定の比較処理（図１１のＪ３）、比較条件の非合致のとき（図１１のＪ４のｎｏ）その比較結果の結果通知部４４への転送（図１１のＪ６）の各各の処理を行う。
また、パケット受信部３１で受信される複数の複製パケットを互いにデータ比較部４２で比較することにより、ＩＰ電話端末装置１でネットワーク５から入力される前に既に発生しているノイズを検出することも可能である。
【００３９】
このように、この実施形態の構成によれば、受信される音声についてのデータを蓄積し、蓄積データと機能部を通過するデータとの比較によりノイズの発生の有無を判定するようにしているので、ノイズの発生箇所を特定することができる。
パケットの送信又はその受信時にデータを比較しているので、リアルタイムでノイズの発生を監視することができる。
送信パケットを複数送信することにより、ＩＰ電話端末装置とＩＰネットワークのいずれでノイズが発生しているか否かを切り分けることができる。
複製パケットの送信周期の変更を可能にしているので、ＩＰネットワーク及びＩＰ電話端末装置の負荷を軽減することが可能である。
【実施形態２】
【００４０】
図１２は、この発明の実施形態２であるＩＰ電話端末装置の電気的構成を示す図、また、図１３は、同ＩＰ電話端末装置の送信側の処理手順の一部を示す図である。
この実施形態の構成が、実施形態１のそれと大きく異なる点は、パケット複製部なしにＩＰ電話端末装置を構成した点である。
すなわち、この実施形態のＩＰ電話端末装置１Ａは、図１２に示すように、実施形態１のパケット複製部２４がなく、音声パケット化部２３Ａを実施形態１と異なって構成される。音声パケット化部２３Ａでの処理は、図１３に示すようになる。
このＩＰ電話端末装置１Ａは、対向するＩＰ電話端末装置やネットワーク５が複製パケットに対応していない場合を考慮して構成されるものである。
この構成以外のこの実施形態の構成は、実施形態１と同じであるので、同一の構成部分には同一の参照符号を付して、その逐一の説明は省略する。
【００４１】
次に、図１２及び図１３を参照して、この実施形態の動作について説明する。
ＩＰ電話端末装置１Ａの動作は、音声パケット化部２３Ａの動作を除き、実施形態１のＩＰ電話端末装置１と同じであるので、音声パケット化部２３Ａについてのみ、その動作を説明する。
音声パケット化部２３Ａにおいて、エンコード・エコーキャンセラ部２２からデジタル音声データを受信すると、そのデータについて音声パケット化処理を行い（図１３のステップＫ１）、音声パケットの複製を行う（図１３のステップＫ２）。複製パケットは、データ比較部４２へ転送されると共に（図１３のステップＫ３）、ＩＰネットワーク５へ送信される（図１３のステップＫ４）。
複製パケットを受け取るデータ比較部４２での比較動作も、実施形態１と同様であり、ＩＰネットワーク５での音声パケットの受信後の動作も、実施形態１と同様である。
【００４２】
このように、この実施形態の構成においても、実施形態１と同等の効果が得られる。また、対向するＩＰ電話端末装置やネットワーク５が複製パケットに対応していなくても、その効果は得られる。
【００４３】
以上、この発明の実施形態を、図面を参照して詳述してきたが、この発明の具体的な構成は、これらの実施形態に限られるものではなく、この発明の要旨を逸脱しない範囲の設計の変更等があってもそれらはこの発明に含まれる。
例えば、上述した各実施形態は、ＩＰ電話端末装置についての実施形態であるが、この発明は、その他のＶｏＩＰシステム、例えば、メディアゲートウェイでも実施し得る。
また、いずれの場合であっても、そのＶｏＩＰシステムの内部構成、すなわち、機能部は、上述した実施形態の機能部と異なっても、この発明は実施し得る。
また、実施形態では、入力インタフェース部でノイズが発生した場合について、そのノイズの発生箇所の特定について説明していないが、予め、比較データを入力インタフェース部を介して比較データ蓄積部に蓄積し、入力インタフェース部からデータをデータ比較部へ転送する構成を採用することにより、上記特定を行うことは可能である。このことは、パケット受信部についても当て嵌まる。また、パケット複製部については、複製パケットをデータ比較部へ転送するようにして上述した比較処理を行うことでノイズの発生を検出することができる。
【産業上の利用可能性】
【００４４】
ここに開示しているノイズ監視方法及びそのシステムは、各種の電気信号を取り扱う装置であってノイズの監視を要するシステムにおいて利用し得る。
【図面の簡単な説明】
【００４５】
【図１】図１は、この発明の実施形態１であるＩＰ電話端末装置の電気的構成を示す図である。
【図２】同ＩＰ電話端末装置の入力インタフェース部の処理手順を示す図である。
【図３】同ＩＰ電話端末装置のエンコード・エコーキャンセラ部の処理手順を示す図である。
【図４】同ＩＰ電話端末装置の音声パケット化部の処理手順を示す図である。
【図５】同ＩＰ電話端末装置のパケット複製部の処理手順を示す図である。
【図６】同ＩＰ電話端末装置のパケット受信部の処理手順を示す図である。
【図７】同ＩＰ電話端末装置のパケット処理部の処理手順を示す図である。
【図８】同ＩＰ電話端末装置のジッタバッファ部の処理手順を示す図である。
【図９】同ＩＰ電話端末装置のデコード部の処理手順を示す図である。
【図１０】同ＩＰ電話端末装置の出力インタフェース部の処理手順を示す図である。
【図１１】同ＩＰ電話端末装置のデータ比較部の処理手順を示す図である。
【図１２】図１２は、この発明の実施形態２であるＩＰ電話端末装置の電気的構成を示す図である。
【図１３】同ＩＰ電話端末装置の送信側の処理手順の一部を示す図である。
【符号の説明】
【００４６】
１、１Ａ      ＩＰ電話端末装置
２１      入力インタフェース部（機能部、複製手段、出力手段）
２２      エンコード・エコーキャンセラ部（機能部、複製手段、出力手段）
２３      音声パケット化部（機能部、出力手段）
２４      パケット複製部（機能部、出力手段）
３１      パケット受信部（機能部、出力手段）
３２      パケット処理部（機能部、出力手段）
３３      ジッタバッファ部（機能部、出力手段）
３４      デコード部（機能部、出力手段）
３５      出力インタフェース部（機能部、出力手段）
４１      比較データ蓄積部（蓄積手段）
４２      データ比較部（比較手段）
４３      比較データ蓄積部（蓄積手段）
【図１】
0005182688.tif 000002
【図２】
0005182688.tif 000003
【図３】
0005182688.tif 000004
【図４】
0005182688.tif 000005
【図５】
0005182688.tif 000006
【図６】
0005182688.tif 000007
【図７】
0005182688.tif 000008
【図８】
0005182688.tif 000009
【図９】
0005182688.tif 000010
【図１０】
0005182688.tif 000011
【図１１】
0005182688.tif 000012
【図１２】
0005182688.tif 000013
【図１３】
0005182688.tif 000014